(57)【要約】【課題】  騒音減衰効果をもつ流れ抵抗の低い排出空気出口偏向装置を備えた流体力工具を提供する。【解決手段】  本流体力工具は、駆動装置と、加圧空気入口通路（１２）と、排出空気出口通路（１６）とを備えたハウジング（１０、１１）を有し、加圧空気入口通路（１２）及び排出空気出口通路（１６）がハウジング（１０、１１）を通ってのび、駆動装置と連通し、排出空気出口通路（１６）が、高度に有孔な材料に形成されかつ排気騒音低減のため排出空気流れの貫流するようにした騒音減衰要素（３６、３７）を備え、また出口通路（１６）の出口端部に取付けられた出口偏向装置（１７）を有し、出口偏向装置（１７）がシェル状本体（１８）を備え、シェル状体（１８）が、排出空気出口通路（１６）に回転できるように受けられる円筒状首部分（１９）、凹面状流れ案内面（２８）、間に主流れ通路（３１）を形成する二つの平行な内壁（３０ａ、３０ｂ）及びそれらとシェル状体（１８）との間に、主流れの両側に騒音減衰用の低速度空気流れシールドを形成する二つの補助流れ通路（３２ａ、３２ｂ）を備えている。
2005510373.tif 000002
【特許請求の範囲】
【請求項１】
ハウジング（１０、１１）と、駆動装置と、加圧空気入口通路（１２）と、排出空気出口通路（１６）とを有し、加圧空気入口通路（１２）及び排出空気出口通路（１６）がハウジング（１０、１１）内に設けられ、駆動装置と連通し、排出空気出口通路（１６）が一つ以上の騒音減衰要素（３６、３７）を備え、またハウジング（１０、１１）に可動に取付けられ、排出空気出口通路（１６）からの排出空気の流れを任意所望の方向に向ける出口偏向装置（１７）を有する流体力工具において、
上記出口偏向装置（１７）が、排出空気出口通路（１６）とほぼ同軸関係に設けられた入口開口（２５）及び上記入口開口（２５）に対してほぼ垂直な方向に向いた出口開口（２９）をもつシェル状体（１８）を備え、上記シェル状体（１８）を通る流れ方向に二つの平行な内壁（３０ａ、３０ｂ）がのび、上記二つの平行な内壁（３０ａ、３０ｂ）がそれらの間に主流れ通路（３１）を形成し、そしてそれらとシェル状体（１８）との間に二つの補助流れ通路（３２ａ、３２ｂ）を形成し、補助流れ通路（３２ａ、３２ｂ）が上記主流れ通路（３１）に平行でありしかも主流れ通路（３１）より狭いこと
を特徴とする流体力工具。
【請求項２】
上記内壁（３０ａ、３０ｂ）が上記シェル状体（１８）の主要部分にわたってのびていることを特徴とする請求項１記載の流体力工具。
【請求項３】
上記シェル状体（１８）が、上記入口開口（２５）を包囲しかつ上記排出空気出口通路（１６）に受けられるようにされた弾性的に膨張可能な環状の首部分（１９）を備え、上記首部分（１９）を上記排出空気出口通路（１６）に挿入した時、上記首部分（１９）の弾性膨張により、上記排出空気出口通路（１６）の内部周囲溝（２３）とロック係合する外側肩部（２２）が上記首部分（１９）に形成されていることを特徴とする請求項１又は２記載の流体力工具。
【請求項４】
上記首部分（１９）の内側に線ばね要素（２６）が取付けられ、上記首部分（１９）の弾性膨張力を高め、それにより上記首部分（１９）とハウジング（１０、１１）とのロック係合を強めるようにしたことを特徴とする請求項３記載の流体力工具。
【請求項５】
上記線ばね要素（２６）がほぼΩ形状であり、上記排出空気出口通路（１６）における上記一つ以上の騒音減衰要素（３６、３７）の軸方向支持体を成していることを特徴とする請求項４記載の流体力工具。
【請求項６】
上記ハウジング（１０、１１）がピストル形ハンドル（１１）を含み、このピストル形ハンドル（１１）内に上記加圧空気入口通路（１２）及び上記排出空気出口通路（１６）が配置され、上記出口偏向装置（１７）が上記ピストル形ハンドル（１１）の末端に取付けられていることを特徴とする請求項１〜５のいずれか一項記載の流体力工具。
【発明の詳細な説明】
【技術分野】
【０００１】
本発明は、駆動装置と、加圧空気入口通路と、排出空気出口通路とを備えたハウジングを有し、排気空気出口偏向装置が、排出空気を任意所望の方向に向けるためハウジングに可動に取付けられている流体力工具に関する。
【背景技術】
【０００２】
従来技術において、出口偏向装置が、望ましくない圧力降下及び駆動装置の出力低下をもたらす多少の流れ制限通路を備えている上記形式の流体力工具は公知である。そのような例は例えば特許文献１及び２に例示されている。
【特許文献１】米国特許第６，１１０，１４５号
【特許文献２】米国特許第５，９５４，１４２号
【発明の開示】
【発明が解決しようとする課題】
【０００３】
本発明の主要目的は、騒音減衰効果をもつ流れ抵抗の低い排出空気出口偏向装置を備えた流体力工具を提供することにある。
【０００４】
本発明の他の目的及び利点は以下の説明及び特許請求の範囲から明らかである。
【発明を実施するための最良の形態】
【０００５】
以下添付図面を参照して、本発明の好ましい実施の形態ついて詳細に説明する。
【０００６】
図１には動力工具の部分１０を示し、この部分１０は図示していない流体力駆動装置を支持するようにされ、ピストル型ハンドル１１から成っている。ピストル型ハンドル１１は加圧空気入口通路１２及びスロットル弁１３を備え、スロットル弁１３は押ボタン１４によって作動されることになる。加圧空気入口通路１２は、駆動装置（図示していない）における入口ポートと連通するようにされ、そして加圧空気供給ダクト（図示していない）を接続するための接続スリーブ１５を備えている。ハンドル１１はさらに排出空気出口通路１６を備え、この排出空気出口通路１６は駆動装置（図示していない）の排気ポートと連通し、そして駆動装置からの排出空気を出口偏向装置１７を介して大気へ導くようにされている。
【０００７】
出口偏向装置１７は、シェル状体１８を有し、シェル状体１８は円筒状首部分１９を備え、この円筒状首部分１９は、出口通路１６のソケット部分２０に回転できるように取付けられている。首部分１９における外側周囲肩部２２は、スナップ嵌めによって出口通路１６における円形溝２３に係合する。首部分１９の取付けを容易にするために、首部分１９には多数の軸方向弱めスロット２４が設けられている。また出口通路１６の溝２３内への肩部２２のスナップ嵌め機能を高めるために、Ω形状のばね要素２６（図５参照）が偏向装置の首部分１９における内側周囲溝２７に挿入される。首部分１９は偏向装置１７の入口開口２５を画定している。
【０００８】
さらに、出口偏向装置１７には、側部開口２９から流れ出る出口流れを分散させる凹面状の案内面２８が形成されている。偏向装置１７にはまた、二つの平行な長手方向内壁３０ａ、３０ｂが設けられ、これらの長手方向内壁３０ａ、３０ｂの間には中央主通路３１が形成され、またこれらの長手方向内壁３０ａ、３０ｂは偏向装置のシェル状体１８と共に、二つの狭い副通路３２ａ、３２ｂを形成している。図４参照。狭い副通路３２ａ、３２ｂをの摩擦によるある一定の僅かな減速のため、主通路３１を通る比較的速い空気の流れの両側に騒音を減衰する低速度空気シールドが形成される。内壁３０ａ、３０ｂによって生じる比較的小さな摩擦は別として、この出口偏向装置は、さらにいかなる限流も生じさせることなしに、所望のように横方向に非乱流的に排出空気流れを分散させる自由流れ偏向装置である。
【０００９】
出口通路１６には、高度に有孔で弾性樹脂材料から成るフルサイズの下流要素３６、下流要素３６と同じ有孔材料から成る小さな上流要素３７、及び上流要素３７を包囲しかつフルサイズの下流要素３６の上流の出口通路１６の内壁の実質的な部分を覆う吸音ライニング３５の形式の騒音減衰手段が挿入されている。フルサイズの下流要素３６は出口通路１６全体を満たし、減流を最小化させるために細い鋼線から成るばね要素２６に軸方向に支持されている。要素３６、３７は、ある一定の圧力降下のもとで騒音低減のために排出空気流れが貫流するように構成されている。
【００１０】
要素３６、３７の材料は、排出空気流れの減流を低く又は適度に抑えながら、騒音減衰効果を得るように注意深く選択される。これらの特性をもつ材料は、機械的負荷支持能力が低くなり、また騒音減衰要素３６、３７はそれら自体、要素３６、３７を横切っての排出空気流れの圧力降下によって生じる軸方向負荷に耐えることができず、出口通路１６の出口における穴ブロック内へへたり込む。
【００１１】
二つの騒音減衰要素３６、３７がそれらを横切っての圧力降下負荷のもとでへたり込むのを防ぐために、二つの騒音減衰要素３６、３７には、それぞれほぼＵ字形の補強要素３８、３９が設けられ、これらの補強要素３８、３９は要素３６、３７の全長の主要部分にわたってのびている。各補強要素３８、３９は、真直ぐな主部分３８ａ、３９ａ及び真直ぐな主部分３８ａ、３９ａに垂直にのびる二つの脚部３８ｂ、３８ｃ、３９ｂ、３９ｃから成っている。主部分３８ａ、３９ａはそれぞれの騒音減衰要素３６、３７より僅かに短く、また脚部３８ｂ、３８ｃ、３９ｂ、３９ｃは、それら自体、要素３６、３７の端部から短い距離だけ要素３６、３７内に入りこむ。これらの補強要素３８、３９は、細いが硬い金属線から成り、騒音減衰要素３６、３７を横切っての圧力降下を増大させない。図３参照。
【００１２】
補強要素３８、３９は、構造が非常に単純であり、騒音減衰要素３６、３７に非常に容易に取付けられる。それらは、出口通路１６内に要素３６、３７を層に有する前に、それぞれ脚部３８ｂ、３８ｃ、３９ｂ、３９ｃを有孔材料内に手で押し込むことによって適位置に配置される。
【００１３】
本発明で提案したように補強要素３８、３９を用いることによって、良好な音減衰特性をもつが機械的負荷支持能力の悪い材料から成る騒音減衰要素３６、３７を用いることができる。補強要素３８、３９を単純な線要素として構成することによって、弱い有孔要素３６、３７を強めかつこれら要素の変形を防ぐ非常に単純で安価な手段が得られる。
【００１４】
本発明の最も一般的な形態において、本発明は上記のＵ字形の補強要素に限定されず、特許請求の範囲内で変更することができる。
【図面の簡単な説明】
【００１５】
【図１】本発明による排気空気出口偏向装置を含む排気出口通路を例示している動力工具ハウジングの後端部の長手方向断面図。
【図２】出口通路の下流端部の拡大破断面図。
【図３】騒音減衰挿入体用の補強要素を示す拡大図。
【図４】排気出口偏向装置の斜視図。
【図５】出口偏向装置に膨張力を加え、かつ騒音減衰挿入体の軸方向支持体を成すばね要素を示す斜視図。
【図１】
2005510373.tif 000003
【図２】
2005510373.tif 000004
【図３】
2005510373.tif 000005
【図４】
2005510373.tif 000006
【図５】
2005510373.tif 000007
【手続補正書】
【提出日】平成15年12月9日(2003.12.9)
【手続補正１】
【補正対象書類名】特許請求の範囲
【補正対象項目名】全文
【補正方法】変更
【補正の内容】
【特許請求の範囲】
【請求項１】
ハウジング（１０、１１）と、駆動装置と、加圧空気入口通路（１２）と、排出空気出口通路（１６）とを有し、加圧空気入口通路（１２）及び排出空気出口通路（１６）がハウジング（１０、１１）内に設けられ、駆動装置と連通し、またハウジング（１０、１１）に可動に取付けられ、排出空気出口通路（１６）からの排出空気の流れを任意所望の方向に向ける出口偏向装置（１７）を有する流体力工具において、
上記出口偏向装置（１７）が、排出空気出口通路（１６）とほぼ同軸関係に設けられた入口開口（２５）、上記入口開口（２５）に対してほぼ垂直な方向に向いた出口開口（２９）、及び上記入口開口（２５）から上記出口開口（２９）へ排出空気流れを分散させるように構成した凹面状案内面（２８）をもつシェル状体（１８）を備え、少なくとも二つの平行な流れ分割羽根（３０ａ、３０ｂ）が、上記シェル状体（１８）を通る流れ方向に平行にのびかつその流れ方向に影響せずにのび、上記流れ分割羽根（３０ａ、３０ｂ）が主流れ通路（３１）及び上記主流れ通路（３１）に平行でありしかも主流れ通路（３１）より狭い少なくとも二つの補助流れ通路（３２ａ、３２ｂ）を形成すること
を特徴とする流体力工具。
【請求項２】
上記内壁（３０ａ、３０ｂ）が上記シェル状体（１８）の主要部分にわたってのびていることを特徴とする請求項１記載の流体力工具。
【請求項３】
上記シェル状体（１８）が、上記入口開口（２５）を包囲しかつ上記排出空気出口通路（１６）に受けられるようにされた弾性的に膨張可能な環状の首部分（１９）を備え、上記首部分（１９）を上記排出空気出口通路（１６）に挿入した時、上記首部分（１９）の弾性膨張により、上記排出空気出口通路（１６）の内部周囲溝（２３）とロック係合する外側肩部（２２）が上記首部分（１９）に形成されていることを特徴とする請求項１又は２記載の流体力工具。
【請求項４】
上記首部分（１９）の内側に線ばね要素（２６）が取付けられ、上記首部分（１９）の弾性膨張力を高め、それにより上記首部分（１９）とハウジング（１０、１１）とのロック係合を強めるようにしたことを特徴とする請求項３記載の流体力工具。
【請求項５】
上記線ばね要素（２６）がほぼΩ形状であり、上記排出空気出口通路（１６）に設けた上記一つ以上の騒音減衰要素（３６、３７）の軸方向支持体を成していることを特徴とする請求項４記載の流体力工具。
【請求項６】
上記ハウジング（１０、１１）がピストル形ハンドル（１１）を含み、このピストル形ハンドル（１１）内に上記加圧空気入口通路（１２）及び上記排出空気出口通路（１６）が配置され、上記出口偏向装置（１７）が上記ピストル形ハンドル（１１）の末端に取付けられていることを特徴とする請求項１〜５のいずれか一項記載の流体力工具。
【国際調査報告】
2005510373.tif 000008
2005510373.tif 000009
2005510373.tif 000010